(57)【要約】【課題】  パネル下地金物のレベル調整が容易にでき、パネル取付けが効率よくできるパネルの取付金具、および該パネルの取付金具を用いたパネルの取付方法を提案する。【解決手段】  コンクリート基礎の天端またはスラブ面に当接する水平片と、該水平片の両端に同一方向に直角に折り曲げられた一対の垂直片とから構成された、該水平片と垂直片に直交する断面が略コ字型の形状をなしているパネル取付金具とする。このパネル取付金具を使用して、一対の垂直片の間にパネル下地金物を挟んでレベル調整をした後、溶接固定する。さらにレベル調整をしたパネル下地金物の上に、あらかじめパネルの底面に支持金物を取り付けたパネルを載置して、溶接固定する。【選択図】図４
2006124973.tif 000002
【特許請求の範囲】
【請求項１】
パネルの下端を載せる下地金物を水平に支持するためのパネル取付金具であって、コンクリート基礎の天端またはスラブ面に当接する水平片と、該水平片の両端に同一方向に直角に折り曲げられた一対の垂直片とから構成された、該水平片と垂直片に直交する断面が略コ字型の形状であることを特徴とするパネル取付金具。
【請求項２】
前記一対の垂直片の幅が、前記下地金物の幅よりも大きく構成されてなることを特徴とする請求項１に記載のパネル取付金具。
【請求項３】
前記一対の垂直片の高さが前記下地金物の厚さよりも高いことを特徴とする請求項１または請求項２に記載のパネル取付金具。
【請求項４】
コンクリート基礎の天端またはスラブ面の上方に水平位置を出すための水糸等を張る工程と、前記請求項１から請求項３のいずれか１項に記載の複数個のパネル取付金具をコンクリート基礎の天端またはスラブ面の所定位置に適当な間隔で前記水糸等に沿って載置する工程と、コンクリートピン等を用いて前記パネル取付金具をコンクリート基礎の天端またはスラブ面に固定する工程と、該パネル取付金具の一対の垂直片の間に前記下地金物を前記水糸等を利用して水平を保つように挟み込み、前記パネル取付金具と下地金物とを溶接固定する工程とからなることを特徴とするパネル取付け用下地金物の取付け方法。
【請求項５】
前記一対の垂直片の内側に挟んだ前記下地金物を該一対の垂直片に沿ってスライドさせ、前記下地金物の取付け高さを調整することを特徴とする請求項４に記載のパネル取付け用下地金物の取付け方法。
【請求項６】
コンクリート基礎の天端またはスラブ面の上方に水平位置を出すための水糸等を張る工程と、前記コンクリート基礎の天端またはスラブ面から突出しているアンカー鉄筋に、適当な間隙を保って前記下地金物を水平を保って溶接固定する工程と、複数の前記請求項１から請求項３のいずれか１項に記載のパネル取付金具を、前記下地金物と前記コンクリート基礎の天端またはスラブ面とが形成する間隙から差込み、該パネル取付金具を回転させてパネル取付金具の水平片を前記コンクリート基礎の天端またはスラブ面に当接させるとともに、該取付金具の垂直片により挟み込み、前記パネル取付金具と下地金物とを溶接固定する工程とからなることを特徴とするパネル取付け用下地金物の取付け方法。
【発明の詳細な説明】
【技術分野】
【０００１】
本発明は、パネルをコンクリート基礎天端またはスラブ面に取り付ける際、パネルの下地としてコンクリート基礎天端またはスラブ面上に配置される下地金物のレベル調整を簡単に行うことができるパネルの取付金具に関するものである。
【背景技術】
【０００２】
従来、コンクリート基礎天端またはスラブ面への下地金物の取付け方法のうち、第１の方法として、図７に示すレベル出し金物を使用して、図８及び図９に示すような取付方法が提案されている。図７はレベル出し金物の外観斜視図、図８は図７のレベル出し金具を使用して下地金物を載置した状態のコンクリート基礎の斜視図、図９はパネルを取り付けた状態のコンクリート基礎の斜視図である。この方法はパネルの下端を載せる下地金物７の下側に挿入するレベル出し金物２１を使用するものであって、図７に示すようにレベル出し金物２１は下地金物を載置する水平の支持片２２と、コンクリート基礎側面に仮止めするための垂直片２３からなり、断面がＬ字型をした金物である。レベル出し金物２１の垂直片２３には仮止めのための釘孔２４が穿孔されている（例えば、特許文献１参照）。
【０００３】
図８及び図９にこのレベル出し金物２１を使用した下地金物の取付方法とパネルの立て込み作業を説明する。
図８に示すように、コンクリート基礎５０の側面５０ｂに水平な基準線Ｌを墨出しする。そして、レベル出し金物２１の垂直片２３をコンクリート基礎５０の側面５０ｂに合わせ、その下端が基準線Ｌに重なるように位置決めし、釘２６、２６を釘孔２４、２４に打ちつけて仮止めする。この状態にあっては、垂直片２３の下端が水平を保つために、これに平行な支持片２２も水平となる。
次に、少なくとも２つのレベル出し金物２１を上記作業手順によってコンクリート基礎５０に取り付ける。そして、下地金物７を複数のレベル出し金物２１に架け渡すように横たえ、レベル出し金物２１の支持片２２に支持させる。そして、コンクリート基礎５０の天端から突出しているアンカー鉄筋５５に下地金物７を当接させ、その部分を溶接して固定する。その際、上記したように既に支持片２２は水平に保たれているために、下地金物７をレベル出し金物２１上に載せるだけで下地金物７のレベル出しが完了する。
【０００４】
次いで、図９に示すように、板状の基部２８ａと基部２８ａの中央から突出した軸部２８ｂとからなるパネル支持金具２８を用意し、パネル５１を建て込む前に、あらかじめパネル５１の下端に穿孔した位置決め孔に軸部２８ｂを挿入して固定しておく。そして、支持金物２８を取り付けた状態でパネル５１を下地金物７上の所定位置に載置し、パネル支持金具２８の基部２８ａを支持金物７に溶接して固定する。パネル５１の上端も、図示しない構造によって建物躯体に対して、自由度をもって支持され、地震の際、免震性能を発揮できるロッキング構造を構成する。
そして、パネル５１の建て込みを完了すると、パネル支持金具２８の取付位置には、下地金物７とコンクリート基礎５０との間にライナー（鋼製の板片）２９を所定枚数挿入し、コンクリート基礎５０がパネル５１の重量を直接支持する構造とする。その後、釘２６を抜いてレベル出し金物２１を取り外し、一連の作業を終了する。
【０００５】
第２の方法として、鋼材を断面略Ｕ字状に曲折成形した固定金具を使用する方法が提案されている（例えば、特許文献２参照。）。ここで使用する固定金具３０は、図１０に示すように鋼材を断面略Ｕ字状に曲折成形し、ベース部３１とこのベース部３１の幅方向両端から直立した起立部３２、３３と、この起立部３２、３３をそれぞれ水平方向に折り曲げ形成されたＬ型定規アングル３４、３５とからなる。パネルの取付方法は、図１１に示すように、コンクリート基礎５０の上端長手方向に固定金具３０を載置してアンカー鉄筋５５を溶接して固定する。固定金具３０のＬ型定規アングル３４、３５の上にはアングル鋼からなる下地金物３７の横フランジ３８が載置されており、さらに下地金物３７の横フランジ３８上には、パネル５１が載置されると共に、下地金物３７の縦フランジ３９とパネル５１とが、稲妻プレート３６を介してボルト５２により固定されている。
この固定金具を使用すれば、作業性の悪い上向き溶接を省略でき、取付強度の向上が期待できるとされている。
【０００６】
第３の方法として、図１２に示すようにコンクリート基礎５０上に長ナット４０を植設し、該長ナットボルト脚部を有するターンテーブル状金具４５を螺合させ、ターンテーブル状金具４５のテーブル部４４にアングル鋼からなる下地金物４７を載せて、ナットボルト脚部を回転させてレベル調整した後、溶接により固定する、下地金物のレベル出し方法が提案されている。(例えば、特許文献３参照。）。この方法では下地金物４７上に載置されたパネル５１は、稲妻プレート３６を介してボルト５２により固定される。
この方法によれば、基礎上で下地金物のレベル出しが迅速に行える利点があるとされている。
【０００７】
この他にも第４の方法として、図１３に示すようにコンクリート基礎５０に埋め込まれた固定金物６２を用い、これに溶接固定されるピースアングル６４の高さ調整をすることにより、レベル出しを行う。そして、ピースアングル６４の上方に、アングル鋼からなる下地金物６７を載せて溶接等で固定し、イナズマプレート６６等を用いてパネル５１の下端を固定する構造が用いられている(例えば、非特許文献１参照。）。
第５の方法として、図１４に示すようにコンクリート基礎５０に埋め込んだアンカー鉄筋５５を用い、これを所定の角度、高さに曲げて、アングル鋼からなる下地金物６７を溶接固定する。そしてイナズマプレート６６等を用いて、パネル５１を下地金物６７に取付けている。（例えば、非特許文献１参照。）。
【特許文献１】特開平１０−８７２９号公報
【特許文献２】特開２０００−２１３７９３号公報
【特許文献３】実開平０６−０１８５０２号公報
【非特許文献１】住友金属鉱山シポレックス株式会社  外壁構法カタログ  2004／7
【発明の開示】
【発明が解決しようとする課題】
【０００８】
しかしながら、上記第１の方法では、レベル出し金物をコンクリート基礎側面に釘により仮止めし、水平片上に下地金物を載置させた後、パネル下端の支持金物が位置する下地金物とコンクリート基礎天端との間に保持金物であるライナーが所定枚数必要となる。さらにパネルを取付け後に該レベル出し金物を取外すことが必要となり、施工性が悪い。
また、第２の方法では、コンクリート基礎上に突出したアンカー筋を水平に所定の高さで精度よく折り曲げることが困難であり、レベルを確保することが難しい。
更に、第３の方法では、コンクリート基礎上面をドリルで穿孔することが重労働であることに加え、ターンテーブルが水平となるように長ナットを植設するための垂直な穿孔は困難である。
また、第４の方法では、基礎のコンクリート打設時に固定金物６２をあらかじめ埋設しておく必要があり、該金物の設置するタイミングおよび設置精度により下地金物の取付けへの影響が大きいという点で問題がある。
更に、第５の方法では、第２の方法と同様にコンクリート基礎上に突出したアンカー筋を水平に所定の高さで精度よく折り曲げることが困難であり、レベルを確保することが難しい。
このように、従来のレベル調整方法では、いずれの場合も手間がかかり作業効率は悪い。
そこで本発明の目的は、パネル下地金物のレベル調整が容易にでき、パネル取付けが効率よくできるパネルの取付金具、および該パネルの取付金具を用いたパネル取付け用下地金物の取付方法を提案することにある。
【課題を解決するための手段】
【０００９】
上記課題を解決するため本発明に係るパネル取付金具は、パネルの下端を載せる下地金物を水平に支持するためのパネル取付金具であって、コンクリート基礎の天端またはスラブ面に当接する水平片と、該水平片の両端に同一方向に直角に折り曲げられた一対の垂直片とから構成された、該水平片と垂直片に直交する断面が略コ字型の形状であることを特徴とするものである。
また、本発明に係る他のパネル取付金具は、前記一対の垂直片の幅が、前記下地金物の幅よりも大きく構成されてなることを特徴とし、更に、前記一対の垂直片の高さが前記下地金物の厚さよりも高いことを特徴とするものである。
下地金物を上下にスライド調整して水平を維持して固定できるようにするためである。
【００１０】
また、本発明の下地金物の取付け方法は、コンクリート基礎の天端またはスラブ面の上方に水平位置を出すための水糸等を張る工程と、前記請求項１から請求項３のいずれか１項に記載の複数個のパネル取付金具をコンクリート基礎の天端またはスラブ面の所定位置に適当な間隔で前記水糸等に沿って載置する工程と、コンクリートピン等を用いて前記パネル取付金具をコンクリート基礎の天端またはスラブ面に固定する工程と、該パネル取付金具の一対の垂直片の間に前記下地金物を前記水糸等を利用して水平を保つように挟み込み、前記パネル取付金具と下地金物とを溶接固定する工程とからなることを特徴とするものである。
更に、本発明の他の下地金物の取付け方法は、前記一対の垂直片の内側に挟んだ前記下地金物を該一対の垂直片に沿ってスライドさせ、前記下地金物の取付け高さを調整することを特徴とするものである。
【００１１】
また、本発明の下地金物の取付け方法の他の一つは、コンクリート基礎の天端またはスラブ面の上方に水平位置を出すための水糸等を張る工程と、前記コンクリート基礎の天端またはスラブ面から突出しているアンカー鉄筋に、適当な間隙を保って前記下地金物を水平を保って溶接固定する工程と、複数の前記請求項１から請求項３のいずれか１項に記載のパネル取付金具を、前記下地金物と前記コンクリート基礎の天端またはスラブ面とが形成する間隙から差込み、該パネル取付金具を回転させてパネル取付金具の水平片を前記コンクリート基礎の天端またはスラブ面に当接させるとともに、該取付金具の垂直片により挟み込み、前記パネル取付金具と下地金物とを溶接固定する工程とからなることを特徴とするものである。
【発明の効果】
【００１２】
本発明のパネルの取付金具を使用すれば、コンクリート基礎またはスラブ面への下地金物の取付けおよびレベル調整が容易であり、施工現場での作業効率が向上する。また、本発明では、パネル下地金物としてフラットバーを用いたが、これに代えてアングルを用いてもよいので、材料選択の余地が広い。
【発明を実施するための最良の形態】
【００１３】
次に、本発明の実施形態を図に基づいて説明する。
図１は、本発明のパネル取付金具の一例を示す斜視図であり、図２は図１のパネル取付金具により下地金物をコンクリート基礎に対し載置した状態を示す斜視図、図３はパネルを取付けた状態を示す斜視図である。図４及び図５は本発明のパネルの取付金具を使用してコンクリート基礎へ下地金物を取付ける方法を示す斜視図である。
図１に示すように、本発明のパネル取付金具１は、金属製板材の両端２箇所を同一方向に直角に折り曲げて、断面が略コ字型を有する金具である。本発明のパネル取付金具１は、水平片２と該水平片２の両端に同一方向に折り曲げた垂直片３、４からなっている。水平片２は、コンクリート基礎の天端に対し当接される面となる。当接位置は、図２に示すようにコンクリート基礎５０の天端５０ａまたはスラブの中央で、パネルの下地金物の直下となる位置が望ましい。パネルはコンクリート基礎の上ばかりでなく、スラブの上端であっても同様にして取り付けることができる。
【００１４】
本発明のパネル取付金具を使用してコンクリート基礎あるいはスラブにパネルを取り付けるには、先ず、図２に示すようにコンクリート基礎５０天端５０ａの上方に水糸Ｍを水平に張る。次にこの水糸Ｍを基準として本発明のパネル取付金具１を複数個、所定の間隔をあけてコンクリート基礎５０の天端５０ａ上に載置して固定する。固定方法は、コンクリート基礎５０の天端５０ａにコンクリートピン等により固定する。
次に、下前記水糸Ｍと所定の間隔で水平となるようにして、下地金物７をコンクリート基礎５０の天端５０ａまたはスラブ面に固定されたパネル取付金具１の垂直片３、４に挟みこむようにした後、下地金物７をパネル取付金具１の垂直片３、４に沿って上下スライドさせ、水糸Ｍに沿ってレベル調整して、溶接固定する。
このとき、下地金物７の厚さよりパネル取付金具１の垂直片３、４が突出した場合は、必要に応じて溶断する。
【００１５】
次いで、図４に示すように、あらかじめパネル５１の底面に穿孔した位置決め孔に、底板１８とその中央から突出した軸部１９とからなる支持金物１７の軸部１９を挿入して固定しておく。このパネル５１をコンクリート基礎５０の天端５０ａ上の下地金物７の上に載置し、底板１８と支持金物１７とを溶接固定する。
【００１６】
また、別の下地金物の取付方法は、図５および図６に示すように、下地金物７がコンクリート基礎５０またはスラブ面から突出しているアンカー鉄筋５５に既に取付けられている場合、前記下地金物７とコンクリート基礎５０またはスラブ面との隙間から、本発明のパネル取付金具１を差し込んで固定する。
この場合、下地金物７とコンクリート基礎５０またはスラブ面との間には、適当な幅の間隙があけられており、下地金物７は水平を保って固定されていることが前提となる。また、本発明の取付金具１の幅は、上記下地金物７とコンクリート基礎５０との間の間隙よりも幅の薄い物であることが前提となる。
【００１７】
図５に示すように下地金物７とコンクリート基礎５０またはスラブ面との隙間に、横に倒した本発明のパネル取付金具１を挿入し、図６に示すようにパネル取付金具１を９０度回転して起こし立て、取付金具１の垂直片で下地金物７を挟み込み、溶接固定する。この方法では下地金物７とコンクリート基礎５０との隙間幅、取付金具１の幅、及び垂直片の高さをあらかじめ設計して決めておくことが重要である。パネルの取付は前述の通りあらかじめパネル５１の底面に穿孔した位置決め孔に、底板１８とその中央から突出した軸部１９とからなる支持金物１７の軸部１９を挿入して固定しておき、パネル５１をコンクリート基礎５０の天端５０ａ上の下地金物７の上に載置し、底板１８と支持金物１７とを溶接固定する。
このようにして複数個の取付金具１を適当な間隔をおいて増設することにより、建て付けるパネルの荷重に十分耐える強度を維持できるようになる。
【図面の簡単な説明】
【００１８】
【図１】本発明のパネル取付金具の外観斜視図である。
【図２】本発明のパネル取付金具をコンクリート基礎に取り付ける方法を示す図である。
【図３】図２に続く下地金物を取り付ける方法を示す図である。
【図４】図３に続くパネルを取り付ける方法を示す図である。
【図５】本発明のパネル取付金具を使用してコンクリート基礎に下地金物を取り付ける他の方法を示す図である。
【図６】図５に続く下地金物を取り付ける方法を示す図である
【図７】従来のレベル出し金具の一例を示す図である。
【図８】図７のレベル出し金具を使用して下地金物を取り付ける方法を示す図である。
【図９】図７に続くパネルを取り付けた状態の斜視図である。
【図１０】従来の固定金具の他の例を示す図である。
【図１１】図１０の固定金具を使用して下地金物及びパネルを取り付ける方法を示す図である。
【図１２】従来のコンクリート基礎にパネルを取り付ける方法の他の例を示す図である。
【図１３】従来のコンクリート基礎にパネルを取り付ける方法の別の例を示す図である。
【図１４】従来のコンクリート基礎にパネルを取り付ける方法のさらに別の例を示す図である。
【符号の説明】
【００１９】
１  パネル取付金具
２  水平片
３、４  垂直片
７  下地金物
１７  支持金物
２１  レベル出し金物
２８  パネル支持金具
３０  固定金具
３６  稲妻プレート
３７  下地金物
４０  長ナット
４５  ターンテーブル状金具
４７  下地金物
５０  コンクリート基礎
５１  パネル
５５  アンカー鉄筋
６２  固定金具
６４  ピースアングル
６６  稲妻プレート
６７  下地金物
【図１】
2006124973.tif 000003
【図２】
2006124973.tif 000004
【図３】
2006124973.tif 000005
【図４】
2006124973.tif 000006
【図５】
2006124973.tif 000007
【図６】
2006124973.tif 000008
【図７】
2006124973.tif 000009
【図８】
2006124973.tif 000010
【図９】
2006124973.tif 000011
【図１０】
2006124973.tif 000012
【図１１】
2006124973.tif 000013
【図１２】
2006124973.tif 000014
【図１３】
2006124973.tif 000015
【図１４】
2006124973.tif 000016